(57)【特許請求の範囲】
【請求項１】
インターネット網に接続される無線基地局と、加入者局に設置され前記無線基地局と無線回線により接続され、屋外装置と屋内装置とを有する加入者無線装置と、前記加入者無線装置に接続される加入者端末とを有し、前記加入者端末は、前記加入者無線装置、前記無線基地局を介して前記インターネット網に無線通信により接続する無線アクセスシステムであって、
前記インターネット網に接続されるネットワーク管理装置と、
前記屋内装置の管理用情報を前記加入者無線装置、前記無線基地局を介して前記屋内装置と前記ネットワーク管理装置との間で送受するとともに、前記加入者端末用情報を前記前記加入者無線装置、前記無線基地局を介して前記加入者端末と前記インターネット網との間で送受する通信手段と
を具備し、
前記通信手段は、
前記無線基地局と前記加入者無線装置との間の通信路を前記管理用情報を伝送する第１の通信路と前記加入者端末用情報を伝送する第２の通信路に仮想的に分離する分離手段
を具備し、
前記分離手段は、
前記無線基地局に設けられ、同一情報フィールド内に前記管理用情報と前記加入者端末用情報とにそれぞれ対応する識別情報を付与して前記管理用情報および前記加入者端末用情報を所定の情報フィールドに搭載した無線フレームを前記無線基地局から前記加入者無線装置に送信する無線基地局側通信手段と、
前記加入者無線装置に設けられ、同一情報フィールド内に前記管理用情報と前記加入者端末用情報とにそれぞれ対応する識別情報を付与して前記管理用情報および前記加入者端末用情報を所定の情報フィールドに搭載した無線フレームを前記加入者無線装置前記から前記無線基地局に送信する加入者無線装置側通信手段と
を具備し、
前記同一情報フィールド内に付与された識別情報に基づき前記管理用情報および前記加入者端末用情報を前記無線基地局および前記加入者無線装置で認識することにより前記第１の通信路と前記第２の通信路との分離を行う
ことを特徴とする無線アクセスシステム。
【請求項２】
前記無線フレームは、
ＭＡＣフレームであり、
前記所定の情報フィールドは、
前記ＭＡＣフレーム内のＷＭ−ＰＤＵフィールドであることを特徴とする請求項１記載の無線アクセスシステム。
【請求項３】
インターネット網に接続される無線基地局と、加入者局に設置され前記無線基地局と無線回線により接続され、屋外装置と屋内装置とを有する加入者無線装置と、前記加入者無線装置に接続される加入者端末とを有し、前記加入者端末は、前記加入者無線装置、前記無線基地局を介して前記インターネット網に無線通信により接続する無線アクセスシステムであって、
前記インターネット網に接続されるネットワーク管理装置と、
前記屋内装置の管理用情報を前記加入者無線装置、前記無線基地局を介して前記屋内装置と前記ネットワーク管理装置との間で送受するとともに、前記加入者端末用情報を前記前記加入者無線装置、前記無線基地局を介して前記加入者端末と前記インターネット網との間で送受する通信手段と
を具備し、
前記通信手段は、
前記無線基地局と前記加入者無線装置との間の通信路を前記管理用情報を伝送する第１の通信路と前記加入者端末用情報を伝送する第２の通信路に仮想的に分離する分離手段
を具備し、
前記分離手段は、
前記無線基地局に設けられ、第１の情報フィールドおよび第２の情報フィールドに前記管理用情報および前記加入者端末用情報をそれぞれ搭載した無線フレームを前記無線基地局から前記加入者無線装置に送信する無線基地局側通信手段と、
前記加入者無線装置に設けられ、第１の情報フィールドおよび第２の情報フィールドに前記管理用情報および前記加入者端末用情報をそれぞれ搭載した無線フレームを前記加入者無線装置から前記無線基地局に送信する加入者無線装置側通信手段と
を具備し、
前記第１の情報フィールドに搭載された情報を前記管理用情報とし、前記第２の情報フィールドに搭載された情報を前記加入者端末用情報として前記無線基地局および前記加入者無線装置で認識することにより前記第１の通信路と前記第２の通信路との分離を行うことを特徴とする無線アクセスシステム。
【請求項４】
前記無線フレームは、
ＭＡＣフレームであり、
前記第１の情報フィールドは、
前記ＭＡＣフレーム内のＷＭ−ＰＤＵフィールドであり、
前記第２の情報フィールドは、
前記ＭＡＣフレーム内のＤＣＣフィールドであることを特徴とする請求項３記載の無線アクセスシステム。
【請求項５】
前記無線基地局と前記ネットワーク管理装置との間で前記無線基地局の管理用情報を送受する管理情報通信手段
を更に具備することを特徴とする請求項１又は３記載の無線アクセスシステム。
【請求項６】
前記通信手段および前記管理情報通信手段は、
前記屋内装置の管理用情報および前記無線基地局の管理用情報をＳＮＭＰプロトコルにより送受することを特徴とする請求項５記載の無線アクセスシステム。
【請求項７】
前記ネットワーク管理装置は、
前記無線基地局および前記加入者無線装置に設けられるＳＮＭＰクライアントと前記ＳＮＭＰプロトコルにより通信するＳＮＭＰエージェント
を具備し、
前記無線基地局および前記加入者無線装置は、
前記ＳＮＭＰエージェントと前記ＳＮＭＰプロトコルにより通信するＳＮＭＰクライアント
を具備することを特徴とする請求項６記載の無線アクセスシステム。
【発明の詳細な説明】
【０００１】
【発明の属する技術分野】
本発明は、無線アクセスシステムに関し、特に、無線を使用した公衆サービスにおいて、加入者宅へネットワーク管理用に専用線を設置する事無く、経済的に加入者装置の管理を容易に行うことができる無線アクセスシステムに関するものである。
【０００２】
【従来の技術】
従来、無線アクセスサービス以前のインターネットサービスを利用する為には、図１０に示すように、加入者は、サービス提供者のネットワークアクセスポイントへモデム等を用いてダイアルアップ接続するか、ＡＤＳＬ（Asymmetric Digital Subscriber Line：非対称ディジタル加入者伝送方式）モデム等で常時接続を行う。
【０００３】
そして、サービス提供者は、ネットワークアクセスポイントにルータを設置し、インターネット網と加入者を接続する。
【０００４】
また、サービス提供者は、サービスを安定して提供する為にアクセスポイントに設置したルータをＳＮＭＰ（Simple Network Management Protocol）という簡易ネットワーク管理プロトコルにより遠隔で管理している。このシステムでは、加入者宅の機器はネットワーク管理の対象となっていない。
【０００５】
ところで、近年では、図１１に示すような無線アクセスサービスが提供されつつある。
【０００６】
図１１に示すように、この無線アクセスシステムでは、加入者宅に専用の終端装置（加入者装置）を設置する。
【０００７】
そして、この様な無線アクセスシステムでは、基地局と加入者局の間を無線で接続する構成を採っているため、安定したサービスを供給する為に終端装置を含めたネットワーク管理を行う必要がある。
【０００８】
しかしながら、従来の無線アクセスシステムにおいては、私設網である企業内ネットワーク用途では、加入者宅の機器を遠隔管理するのにネットワーク管理用の専用線を設置し、且つ加入者宅に管理通信用に専用モデムを設置する方法を採ることでネットワーク管理を行うことが可能であるが、公衆サービスの場合では、加入者宅へネットワーク管理用に専用線を設置するのは大変困難なものであり、且つコスト的に不経済なものである。
【０００９】
【発明が解決しようとする課題】
上述の如く、従来の無線アクセスシステムにあっては、私設網である企業内ネットワーク用途では加入者宅の機器を遠隔管理するにはネットワーク管理用に専用線を設置する方法が採られるが、公衆サービスの場合、加入者宅へネットワーク管理用に専用線を設置することは大変困難であり、且つコスト的に不経済なものとなるという不都合があった。
【００１０】
そこで、本発明は上記実状を鑑み、無線を使用した公衆サービスにおいて、加入者宅へネットワーク管理用に専用線を設置する事無く、経済的に加入者装置の管理を容易に行うことが可能な無線アクセスシステムの提供を目的とするものである。
【００１１】
【課題を解決するための手段】
上記目的を達成するため、本発明は、インターネット網に接続される無線基地局と、加入者局に設置され前記無線基地局と無線回線により接続され、屋外装置と屋内装置とを有する加入者無線装置と、前記加入者無線装置に接続される加入者端末とを有し、前記加入者端末は、前記加入者無線装置、前記無線基地局を介して前記インターネット網に無線通信により接続する無線アクセスシステムであって、前記インターネット網に接続されるネットワーク管理装置と、前記屋内装置の管理用情報を前記加入者無線装置、前記無線基地局を介して前記屋内装置と前記ネットワーク管理装置との間で送受するとともに、前記加入者端末用情報を前記前記加入者無線装置、前記無線基地局を介して前記加入者端末と前記インターネット網との間で送受する通信手段とを具備し、前記通信手段は、前記無線基地局と前記加入者無線装置との間の通信路を前記管理用情報を伝送する第１の通信路と前記加入者端末用情報を伝送する第２の通信路に仮想的に分離する分離手段を具備し、前記分離手段は、前記無線基地局に設けられ、同一情報フィールド内に前記管理用情報と前記加入者端末用情報とにそれぞれ対応する識別情報を付与して前記管理用情報および前記加入者端末用情報を所定の情報フィールドに搭載した無線フレームを前記無線基地局から前記加入者無線装置に送信する無線基地局側通信手段と、前記加入者無線装置に設けられ、同一情報フィールド内に前記管理用情報と前記加入者端末用情報とにそれぞれ対応する識別情報を付与して前記管理用情報および前記加入者端末用情報を所定の情報フィールドに搭載した無線フレームを前記加入者無線装置前記から前記無線基地局に送信する加入者無線装置側通信手段とを具備し、前記同一情報フィールド内に付与された識別情報に基づき前記管理用情報および前記加入者端末用情報を前記無線基地局および前記加入者無線装置で認識することにより前記第１の通信路と前記第２の通信路との分離を行うことを特徴とする。
【００１２】
また、本発明は、インターネット網に接続される無線基地局と、加入者局に設置され前記無線基地局と無線回線により接続され、屋外装置と屋内装置とを有する加入者無線装置と、前記加入者無線装置に接続される加入者端末とを有し、前記加入者端末は、前記加入者無線装置、前記無線基地局を介して前記インターネット網に無線通信により接続する無線アクセスシステムであって、前記インターネット網に接続されるネットワーク管理装置と、前記屋内装置の管理用情報を前記加入者無線装置、前記無線基地局を介して前記屋内装置と前記ネットワーク管理装置との間で送受するとともに、前記加入者端末用情報を前記前記加入者無線装置、前記無線基地局を介して前記加入者端末と前記インターネット網との間で送受する通信手段とを具備し、前記通信手段は、前記無線基地局と前記加入者無線装置との間の通信路を前記管理用情報を伝送する第１の通信路と前記加入者端末用情報を伝送する第２の通信路に仮想的に分離する分離手段を具備し、前記分離手段は、前記無線基地局に設けられ、第１の情報フィールドおよび第２の情報フィールドに前記管理用情報および前記加入者端末用情報をそれぞれ搭載した無線フレームを前記無線基地局から前記加入者無線装置に送信する無線基地局側通信手段と、前記加入者無線装置に設けられ、第１の情報フィールドおよび第２の情報フィールドに前記管理用情報および前記加入者端末用情報をそれぞれ搭載した無線フレームを前記加入者無線装置前記から前記無線基地局に送信する加入者無線装置側通信手段とを具備し、前記第１の情報フィールドに搭載された情報を前記管理用情報とし、前記第２の情報フィールドに搭載された情報を前記加入者端末用情報として前記無線基地局および前記加入者無線装置で認識することにより前記第１の通信路と前記第２の通信路との分離を行うことを特徴とする。
【００１３】
【発明の実施の形態】
以下、本発明の実施形態について添付図面を参照して詳細に説明する。
【００１４】
図１は、本発明を適用した場合の無線アクセスシステムの一構成例を示す図である。
【００１５】
図１に示すように、この無線アクセスシステム１００は、キャリアが電話回線等の代わりに無線で回線を提供し、従来の電話回線用モデムを使用した方法より高速なインターネットアクセスを加入者に提供する方式である。
【００１６】
同図１に示すように、キャリア側では、電話回線に代わる通信回線を無線で提供するために無線基地局１を設置する。
【００１７】
そして、加入者局２側では、従来の電話回線用モデムに相当する装置として無線アクセス用の屋内装置（ＩＤＵ）２１と、屋外装置２２と、アンテナ２３とからなる加入者無線装置を設置する。これにより、加入者は、自己の加入者端末（ＰＣ等）２４を用い屋内装置（ＩＤＵ）２１、屋外装置（ＯＤＵ）２２、アンテナ２３及び無線基地局１、電話交換局３、ルータ４を介して、インターネット通信を行なうことができる。
【００１８】
また、この無線アクセスシステム１００では、ルータ４と管理網６を介してネットワーク管理装置（ＮＭＳ）７が接続されている。
【００１９】
このネットワーク管理装置（ＮＭＳ）７は、ＩＡＢ（Internet ArchitectureBoard） で規格化されたＳＮＭＰ（Simple Network Management Protocol）という簡易ネットワーク管理プロトコル及びＭＩＢ（Management Information Base）という管理情報を用いてネットワークの管理を行う管理装置である。具体的には、自装置７に具えるＳＮＭＰエージェント機能Ａと、無線基地局１及び加入者局２のＳＮＭＰクライアント機能Ｂとの間で予め決められた管理情報の受け渡しをすることにより管理を行う。そして、本発明では、このネットワーク管理装置７にて、加入者局２のネットワーク管理用に専用線を設置する事無く、無線回線を通じて加入者局の装置（屋内装置２１や屋外装置２２）の管理を行う。
【００２０】
以下、上述したネットワーク管理装置７にて、加入者局２へネットワーク管理用に専用線を設置する事無く、無線回線を通じて加入者装置（屋内装置及び屋外装置）の管理を行う為の構成について具体的に説明していく。
【００２１】
まず、最初に第１の実施例について図２乃至図５を参照にして説明する。
【００２２】
図２は、上記図１に示した無線基地局の装置１及び加入者局の装置（屋内装置２１及び屋外装置２２）の機能ブロック構成を示す図であり、この場合、本発明に係る主要な構成部分のみを示し、その他の構成については省略している。
【００２３】
図２に示すように、この基地局及び加入者局の装置は、ＣＰＵ１０１と、メモリ１０２と、ＳＮＭＰマネージメント部（Management Entity）１０３と、ＬＡＮスイッチ部１０４と、フレーム生成部１０５と、変復調部１０６と、ＲＦ部１０７と、アンテナ１０８とを具えて構成される。
【００２４】
ここで、ＣＰＵ１０１は、基地局及び加入者局の装置全体を統括的に制御する制御部である。
【００２５】
メモリ１０２は、この装置で用いられる各種制御プログラム等のデータや、作業情報を記憶する記憶部である。
【００２６】
ＳＮＭＰマネージメント部１０３は、ＳＮＭＰクライアント機能Ｂを具え、上記図１に示したネットワーク管理装置（ＮＭＳ）７に具わるＳＮＭＰエージェント機能Ａとの間で管理情報の受け渡し処理を行う。
【００２７】
ＬＡＮスイッチ部１０４は、▲１▼：無線信号を送信する方向では、上記ＳＮＭＰマネージメント部１０３からの管理情報のフレーム（以下、管理用フレームと言う。）を入力し、後段のフレーム生成部１０５に出力する。また、加入者端末２４側或いはインターネット５側からユーザインタフェースを介して加入者情報のフレーム（以下、加入者用フレームと言う。）を入力し、後段のフレーム生成部１０５に出力する。また、▲２▼：無線信号を受信する方向では、フレーム生成部１０５から入力した無線フレーム（図３参照）のＷＭ−ＰＤＵフィールド（1629bit）に格納された加入者用フレーム及び管理用フレームのＤＡ（Destination Address）（宛て先アドレス）（図４参照）に格納される情報を読み取って加入者端末２４，インターネット５側またはＳＮＭＰマネージメント部１０３側にフレームを出力する。
【００２８】
フレーム生成部１０５は、▲１▼：無線信号を送信する方向では、上記ＬＡＮスイッチ部１０４から入力した管理用フレーム及び加入者用フレームをＷＭ−ＰＤＵフィールド（1629bit）に載せて後述の図３に示すような無線フレームを生成し、後段の変復調部１０６に出力する。また、▲２▼：無線信号を受信する方向では、アンテナ１０８及びＲＦ部１０７及び変復調部１０６を介して入力した無線フレームのＷＭ−ＰＤＵフィールドに格納された加入者用及び管理用（ＷＭ−ＰＤＵ）フレームを取出して、後段のＬＡＮスイッチ部１０４に出力する。
【００２９】
変復調部１０６は、▲１▼：無線信号を送信する方向では、所定の無線通信方式に従って上記フレーム生成部１０５より入力した無線フレームデータに所定の変調処理を施し、該変調処理した無線信号を後段のＲＦ部１０７に出力する。また、▲２▼：無線信号を受信する方向では、アンテナ１０８及びＲＦ部１０７を介して受信した無線信号を入力し、所定の無線通信方式に従って所定の復調処理を施し、無線フレームデータを再生し後段のフレーム生成部１０５に出力する。
【００３０】
ＲＦ部１０７は、無線信号の送受信部であり、▲１▼：無線信号を送信する方向では、変復調部１０６から入力した無線信号をアンテナ１０８を介して送信する処理を行う。また、▲２▼：無線信号を受信する方向では、アンテナ１０８を介して無線信号を受信する処理を行う。
【００３１】
アンテナ１０８は、▲１▼：無線信号を送信する方向では、上記ＲＦ部１０７からの無線信号を無線電波として送信し、また、▲２▼：無線信号を受信する方向では、無線電波を受信し、ＲＦ部１０７に無線信号を入力する。
【００３２】
尚、図３が、上記図２に示した無線基地局１及び加入者局２の装置で用いられる無線フレームのフォーマット構成を示す図であり、図４が、上記図２に示した無線基地局１及び加入者局２の装置で用いられるＱｔａｇ（タグ）付きのＭＡＣ（Media Access Control）フレームのフォーマット構成を示す図である。
【００３３】
図３に示すように、上記図２に示した無線基地局１及び加入者局２の装置では、管理ＭＡＣフレーム及び加入者ＭＡＣフレームを無線フレームのＷＭ（wireless modem）−ＰＤＵ（protocol data unit）フィールド（１６２９ｂｉｔ）に載せて通信を行なう。
【００３４】
また、図４に示すように、上記図２に示した無線基地局1及び加入者2局の装置では、ＭＡＣフレームのＤＡＴＡ＆ＰＡＤフィールド（４６〜１５００バイト）に管理用データ及び加入者用データを載せ、更に、Ｑｔａｇ  Ｐｒｅｆｉｘフィールド（４バイト）のＶＬＡＮ  ｉｄｅｎｔｉｆｉｅｒ（ＩＤ）フィールド（１２ｂｉｔ）に、管理用フレームを伝送する際、予め割り当て設定された管理用ネットワークの識別子をセットし、他方、加入者用フレームを伝送する際、予め割り当て設定された加入者用ネットワークの識別子をセットして通信を行なう。尚、実際に、ＶＬＡＮ  ＩＤに管理用フレームと加入者フレームとで個別の識別子を割り当てて管理するのは、ＬＡＮスイッチ部１０４が行う。
【００３５】
このように、ＭＡＣフレームのＱｔａｇフィールドのＶＬＡＮ identifierフィールド（12bit）に管理用と加入者用で別の識別子を割り当てることで物理的には１つのネットワークであるものを２つのネットワーク（セグメント）に分離することができる。尚、この様子を図５に示す。
【００３６】
即ち、図５では、管理網の使用する管理フレームと加入者が使用する加入者用フレームをＬＡＮスイッチ部の持つ機能の一つである仮想ＬＡＮ（ＶＬＡＮ）を利用して管理網と加入者網を仮想的に２つのネットワークに分離して構成している。
【００３７】
次に、上述の図３に示した構成を参照しながら、加入者局２から無線基地局2へデータを送信する場合の動作（１）、及び無線基地局１がデータを受信した場合の動作（２）について説明する。
【００３８】
まず、動作（１）について述べる。
加入者局2の装置では、ＳＮＭＰマネージメント部１０３からＬＡＮスイッチ部１０４に入力された管理用フレーム、或いは加入者端末２４からユーザインタフェースを介してＬＡＮスイッチ部１０４に入力された加入者用フレームがフレーム生成部１０５に送出される。
【００３９】
すると、このフレーム生成部１０５が、図３に示す無線フレームのＷＭ−ＰＤＵ（1629bit）フィールドにＬＡＮスイッチ部１０４から入力された管理フレーム或いは加入者用フレームを載せて無線フレームを生成する。そして、後段の変復調部１０６に出力する。
【００４０】
次いで、変復調部１０６が、無線フレームに所定の変調処理を施し、ＲＦ部１０７がアンテナ１０８を介して変調後の無線信号を送信する。
【００４１】
尚、上述した図３の無線フレームのＷＭ−ＰＤＵ（1629bit）フィールドに格納されるデータは周期的に生成されるので、1629bitの格納場所に収まりきれない場合は、フレームが分割されて送信される。
【００４２】
次に、動作（２）について述べる。
【００４３】
無線基地局１の装置では、アンテナ１０８及びＲＦ部１０７を介して受信した無線信号を変復調部１０６で所定の復調処理を施し、図３の無線フレームを再生してフレーム生成部１０５に入力する。
【００４４】
すると、フレーム生成部１０５が、図３に示す無線フレームのＷＭ−ＰＤＵ（1629bit）フィールドに格納されているＭＡＣフレーム（加入者用フレーム或いは管理用フレーム）を取出し、ＬＡＮスイッチ部１０４に出力する。
【００４５】
その後、ＬＡＮスイッチ部１０５が、図４に示したＭＡＣフレームのＤＡ（宛て先アドレス）に格納される宛先情報を読み取り、加入者端末２４またはＳＮＭＰマネージメント部１０３にフレームを出力する。
【００４６】
具体的には、ここで、ＤＡ（宛て先アドレス）が、加入者端末２４，インターネット側のサーバ等の装置を示していれば、ＭＡＣフレーム、即ち、加入者用フレームをユーザインタフェースを介して該当する加入者端末２４或いはサーバ等の装置に送信する。他方、ＤＡ（宛て先アドレス）がネットワーク管理装置（ＮＭＳ）を示していれば、ＭＡＣフレーム、即ち、管理用フレームをＳＮＭＰマネージメント部１０３に送信する。
【００４７】
そして、管理用フレームは、ＳＮＭＰマネージメント部１０３０の制御に基づき図１に示したネットワーク管理装置（ＮＭＳ）７に送信される。これにより、ネットワーク管理装置（ＮＭＳ）７にて、無線回線を通じて加入者局２の装置（屋内装置２１や屋外装置２２）の管理情報を取得することができる。
【００４８】
この構成によると、無線を使用した公衆サービスにおいて、加入者宅へネットワーク管理用に専用線を設置すること無く加入者装置の管理を容易に行うことができると共に、ＶＬＡＮのＶＬＡＮ  identifier（ID）に管理用と加入者用で別の識別子を割り当てることにより、ネットワーク管理者側の管理データの内容がユーザ等に見られることを未然に防ぐことができる。
【００４９】
次に、第２の実施例について図６乃至図９を参照にして説明する。
【００５０】
図６は、上記図２に示した無線基地局１の装置及び加入者局２の装置（屋内装置２１及び屋外装置２２）の機能ブロック構成の変形例を示す図である。この場合も、本発明に係る主要な構成部分のみ示し、その他の構成については省略している。
【００５１】
図６に示すように、この無線基地局１及び加入者局２の装置は、ＣＰＵ１０１０と、メモリ１０２０と、ＳＮＭＰマネージメント部１０３０と、ＬＡＮスイッチ部１０４０と、フレーム生成部１０５０と、変復調部１０６０と、ＲＦ部１０７０と、アンテナ１０８０とを具えて構成される。
【００５２】
ここで、ＣＰＵ１０１０は、無線基地局１及び加入者局２の装置全体を統括的に制御する制御部である。
【００５３】
メモリ１０２０は、この装置で用いられる各種制御プログラム等のデータや、作業情報を記憶する記憶部である。
【００５４】
ＳＮＭＰマネージメント（Management Entity）部１０３０は、ＳＮＭＰクライアント機能Ｂを具え、上記図１に示したネットワーク管理装置（ＮＭＳ）７に具わるＳＮＭＰエージェント機能Ａとの間で管理情報の受け渡し処理を行う。
【００５５】
ＬＡＮスイッチ部１０４０は、▲１▼：無線信号を送信する方向では、加入者端末２４側或いはインターネット５側からユーザインタフェースを介して加入者用フレームを入力し、後段のフレーム生成部１０５０に出力する。また、▲２▼：無線信号を受信する方向では、フレーム生成部１０５から入力した無線フレーム（図７参照）のＷＭ−ＰＤＵフィールド（1544bit）に格納された加入者用フレームのＤＡ（宛て先アドレス）（図８参照）に格納される宛先情報を読み取って加入者端末２４またはインターネット５側にフレームを出力する。
【００５６】
フレーム生成部１０５０は、▲１▼：無線信号を送信する方向では、上記ＬＡＮスイッチ部１０４０から入力した加入者用フレームを無線フレームのＷＭ−ＰＤＵフィールド（1544bit）に載せて後述の図７に示すような無線フレームを生成し、後段の変復調部１０６０に出力する。また、マネージメント部１０３０から入力された管理用フレームを無線フレームのＤＣＣフィールド（85bit）に載せて後述の図３に示すような無線フレームを生成し、後段の変復調部１０６０に出力する。また、▲２▼：無線信号を受信する方向では、アンテナ１０８０及びＲＦ部１０７０及び変復調部１０６０を介して入力した無線フレームのＷＭ−ＰＤＵフィールド（1544bit）に格納された加入者用フレームを取出して、後段のＬＡＮスイッチ部１０４０に出力する。また、該入力した無線フレームのＤＣＣフィールド（85bit）に格納された管理用フレームを取出して、後段のＳＮＭＰマネージメント部１０３０に出力する。
【００５７】
変復調部１０６０は、▲１▼：無線信号を送信する方向では、所定の無線通信方式に従って上記フレーム生成部１０５０より入力した無線フレームデータに所定の変調処理を施し、無線信号を後段のＲＦ部に出力する。また、▲２▼：無線信号を受信する方向では、アンテナ１０８０及びＲＦ部１０７０を介して受信した無線信号を入力し、所定の無線通信方式に従って所定の復調処理を施し、無線フレームデータを再生し後段のフレーム生成部１０５０に出力する。
【００５８】
ＲＦ部１０７０は、無線信号の送受信部であり、▲１▼：無線信号を送信する方向では、変復調部１０６０から入力した無線信号をアンテナ１０８を介して送信する処理を行い、また、▲２▼：無線信号を受信する方向では、アンテナ１０８０を介して無線信号を受信する処理を行う。
【００５９】
アンテナ１０８０は、▲１▼：無線信号を送信する方向では、上記ＲＦ部１０７０からの無線信号を無線電波として送信し、また、▲２▼：無線信号を受信する方向では、無線電波を受信し、ＲＦ部１０７０に無線信号を入力する。
【００６０】
尚、図７が、上記図６に示した無線基地局１及び加入者局２の装置で用いられる無線フレームのフォーマット構成を示す図であり、図８が、上記図６に示した無線基地局１及び加入者局２の装置で用いられるＱｔａｇ（タグ）無しのＭＡＣフレームのフォーマット構成を示す図である。
【００６１】
図７に示すように、上記図６に示した無線基地局１及び加入者局２の装置では、加入者ＭＡＣフレームを無線フレームのＷＭ−ＰＤＵフィールド（１５４４ｂｉｔ）に載せ、他方、管理用ＭＡＣフレームを無線フレームのＤＣＣ（８５ｂｉｔ）に載せて通信を行なう。
【００６２】
また、図８に示すように、上記図６に示した無線基地局１及び加入者局２の装置では、ＭＡＣフレームのＤＡＴＡ＆ＰＡＤフィールド（４６〜１５００バイト）に管理用データ及び加入者用データを載せて通信を行なう。
【００６３】
このように、管理網の使用する管理フレームと加入者が使用する加入者用フレームを無線フレームの別々のチャネル、即ち、ＷＭ−ＰＤＵ（１５４４ｂｉｔ）とＤＣＣ（８５ｂｉｔ）と別々のフィールドに載せて通信を行なうことで管理網と加入者網を物理的に二つのネットワークに分離して構成することができる。尚、この様子を図９に示す。
次に、上述の図６に示した構成を参照しながら、加入者局２側から無線基地局１側へデータを送信する場合の動作（３）、及び無線基地局１側がデータを受信した場合の動作（４）について説明する。
【００６４】
まず、動作（３）について述べる。
【００６５】
加入者局２の装置では、加入者端末２４からユーザインタフェースを介してＬＡＮスイッチ部１０４０に入力された加入者用フレームがフレーム生成部１０５０に送出される。
【００６６】
すると、このフレーム生成部１０５０が、図７に示す無線フレームのＷＭ−ＰＤＵ（1544bit）フィールドにＬＡＮスイッチ部１０４０から入力された加入者用フレームを載せて無線フレームを生成する。そして、後段の変復調部１０６０に出力する。
【００６７】
次いで、変復調部１０６０が、入力した無線フレームに所定の変調処理を施し、ＲＦ部１０７０がアンテナ１０８０を介して変調後の無線信号を送信する。
【００６８】
また、加入者局２の装置では、ＳＮＭＰマネージメント部１０３０から管理用フレームがフレーム生成部１０５０に送出されると、フレーム生成部１０５０が、図７に示す無線フレームのＤＣＣ（85bit）フィールドに入力した管理用フレームを載せて無線フレームを生成する。
【００６９】
尚、上述した図７の無線フレームのＷＭ−ＰＤＵ（1544bit）フィールド及びＤＣＣ（85bit）に格納されるデータは周期的に生成されるので、収まりきれない場合はフレームが分割されて送信される。
【００７０】
次に、動作（４）について述べる。
【００７１】
無線基地局１の装置では、アンテナ１０８０及びＲＦ部１０７０を介して受信された無線信号を変復調部１０６０で所定の復調処理を施し、図７の無線フレームを再生してフレーム生成部１０５０に入力する。
【００７２】
すると、フレーム生成部１０５０が、図７に示す無線フレームのＷＭ−ＰＤＵ（1544bit）フィールドに格納されるフレーム、即ち、加入者用フレームを取出し、ＬＡＮスイッチ部１０５０に出力すると共に、無線フレームのＤＣＣ（85bit）フィールドに格納されるフレーム、即ち、管理フレームを取出し、ＳＮＭＰマネージメント部１０３０に出力する。
【００７３】
その後、ＬＡＮスイッチ部１０４０が、図８に示したＭＡＣフレームのＤＡ（宛て先アドレス）に格納される宛先情報を読み取し、ＤＡ（宛て先アドレス）に基づき、加入者用フレームをユーザインタフェースを介して該当する加入者端末２４，インターネット側のサーバ等の装置に送信する。
【００７４】
そして、管理用フレームは、ＳＮＭＰマネージメント部１０３０の制御に基づき図１に示したネットワーク管理装置（ＮＭＳ）７に送信される。これにより、ネットワーク管理装置（ＮＭＳ）７にて、無線回線を通じて加入者局２の装置（屋内装置２１や屋外装置２２）の管理情報を取得することができる。
【００７５】
この構成によると、無線を使用した公衆サービスにおいて、加入者宅へネットワーク管理用に専用線を設置すること無く加入者装置の管理を容易に行うことができると共に、管理網の使用する管理フレームと加入者が使用する加入者用フレームを無線フレームの別々のチャネル、即ち、ＷＭ−ＰＤＵ（１５４４ｂｉｔ）とＤＣＣ（８５ｂｉｔ）と別々のフィールドに載せて通信を行なうことにより、ネットワーク管理者側の管理データの内容がユーザ等に見られることを未然に防ぐことができる。
【００７６】
【発明の効果】
以上説明したように、本発明の無線アクセスシステムによれば、無線を使用した公衆サービスにおいて、加入者宅へネットワーク管理用に専用線を設置する事無く加入者装置の管理をすることができ、ネットワーク管理保全が可能となる。また、ネットワーク管理者側の管理内容データがユーザ等に見られることを未然に防止できる。
【図面の簡単な説明】
【図１】本発明を適用した場合の無線アクセスシステムの一構成例を示す図。
【図２】図１に示した無線基地局の装置及び加入者局の装置の機能ブロック構成を示す図。
【図３】図２に示した無線基地局及び加入者局の装置で用いられる無線フレームのフォーマット構成を示す図。
【図４】図２に示した無線基地局及び加入者局の装置で用いられるＱｔａｇ（タグ）付きのＭＡＣフレームのフォーマット構成を示す図。
【図５】管理網の使用する管理フレームと加入者が使用する加入者用フレームをＬＡＮスイッチ部の持つ機能の一つである仮想ＬＡＮ（ＶＬＡＮ）を利用して管理網と加入者網を仮想的に２つのネットワークに分離して構成した様子を示す図。
【図６】図２に示した無線基地局の装置及び加入者局の装置の機能ブロック構成の変形例を示す図。
【図７】図６に示した無線基地局及び加入者局の装置で用いられる無線フレームのフォーマット構成を示す図。
【図８】図６に示した無線基地局及び加入者局の装置で用いられるＱｔａｇ（タグ）無しのＭＡＣフレームのフォーマット構成を示す図。
【図９】管理網の使用する管理フレームと加入者が使用する加入者用フレームを無線フレームの別々のチャネルを用いて管理網と加入者網を物理的に二つのネットワークに分離して構成する様子を示す図。
【図１０】従来の有線インターネットサービスの概要を示す図。
【図１１】従来の無線アクセスインターネットサービスの概要を示す図。
【符号の説明】
１００  無線アクセスシステム
１  無線基地局
２  加入者局
２１  屋内装置（ＩＤＵ）
２２  屋外装置（ＯＤＵ）
２３  アンテナ
２４  加入者端末（ＰＣ）
３  電話交換局
４  ルータ
５  インターネット
６  ネットワーク管理装置（ＮＭＳ）
１０１、１０１０  ＣＰＵ
１０２、１０２０  メモリ
１０３、１０３０  マネージメント部
１０４、１０４０  ＬＡＮスイッチ部
１０５、１０５０  フレーム生成部
１０６、１０６０  変復調部
１０７、１０７０  ＲＦ部
１０８、１０８０  アンテナ
Ａ  ＳＮＭＰエージェント機能
Ｂ  ＳＮＭＰクライアント機能
【図１】
0003971211.tif 000002
【図２】
0003971211.tif 000003
【図３】
0003971211.tif 000004
【図４】
0003971211.tif 000005
【図５】
0003971211.tif 000006
【図６】
0003971211.tif 000007
【図７】
0003971211.tif 000008
【図８】
0003971211.tif 000009
【図９】
0003971211.tif 000010
【図１０】
0003971211.tif 000011
【図１１】
0003971211.tif 000012